(57)【特許請求の範囲】
【請求項１】
背板を中央に介して底板と蓋板が連接されると共に、該底板と蓋板の外周囲縁にそれぞれ側板が設けられた台紙にて構成され、背板が湾曲して本の背を模した丸背状に形成された丸背ブック型ケースにおいて、
各側板の背板がわ端部に半円部をそれぞれ形成し、
底板に重ねる底板重合片と、背板に重ねる背板重合片と、蓋板に重ねる蓋板重合片とを連設した補強板を設け、該補強板を台紙の内側に重ねると共に、相対向する側板の各内側に補強板の端部がそれぞれ当接するように配置し、
台紙の背板を湾曲して各側板を重合したときに、底板がわの半円部が背板の長手端部内側に重なって背板の湾曲した丸背形状を保持すると共に、各側板の内側で撓んで緊張力を持った補強板が台紙の背板の丸背形状を内側から強化するように構成したことを特徴とする丸背ブック型ケース。
【請求項２】
前記台紙は、前記側板の内側に重合する重合片が前記側板から屈曲延長され、前記補強板は、前記台紙の内側面と重合片の内側端部との間に設置された請求項１記載の丸背ブック型ケース。
【請求項３】
前記補強板において、前記背板重合片の片面に該背板重合片の長手方向に沿った平行な複数本の切目が形成され、前記台紙の背板を湾曲したときに、該切目が前記補強板の外側になるように配置された請求項１又は２記載の丸背ブック型ケース。
【請求項４】
前記補強板において、前記背板重合片の片面に該背板重合片の長手方向に沿った平行な複数本の凹溝が形成され、前記台紙の背板が屈曲されたときに、該凹溝が前記補強板の内側になるように配置された請求項１又は２記載の丸背ブック型ケース。
【発明の詳細な説明】
【技術分野】
【０００１】
本発明は、背面形状が弧を描くように湾曲した丸背ブック型ケースに係り、特に、丸背の強度を高めることが可能な丸背ブック型ケースに関するものである。
【背景技術】
【０００２】
従来、本の形を模した紙箱として、本の背のように湾曲した丸背を形成した紙箱が提供されている。この丸背を形成するために、従来では、蒲鉾状の発泡スチロール等の芯材を背の部分に張り付けて本の形の丸みを模したものである。
【０００３】
また、特許文献１に記載の丸背ブック型ケースでは、この発泡スチロール等の芯材を複数本のリブに変更したケースが提案されている。このケースによると、ケースの背に切り込みを設けてリブを立ち上げ、このリブに別の倒れ防止リブを組み合わせることで、丸背用の芯材を形成するものである。
【０００４】
一方、特許文献２に記載されている背面湾曲型ブック式ケースは、外函用ブランクと中函用ブランクとを組み合わせることで、背面が湾曲した丸背型のブック式ケースを形成している。このケースによると、中函用ブランクの外側面板の一端部に形成した円弧状突出部の外周縁に、外函用ブランクの背板端部を重ねて背板を湾曲することで丸背を形成している。
【先行技術文献】
【特許文献】
【０００５】
【特許文献１】実公平７-１２２６３号公報
【特許文献２】特許第３４７８８１１号公報
【発明の概要】
【発明が解決しようとする課題】
【０００６】
特許文献１に記載の丸背ブック型ケースは、発泡スチロール等の芯材の代わりに、ケースの背に切り込みを設けて立ち上げたリブに倒れ防止リブを組み合わせて芯材を構成し、この芯材に背部カバーを張り付けたものであるから、極めて多くの手間を要するものであった。すなわち、この芯材を形成するために、ケースの背に切り込みを入れる作業や、これらのリブを立ち上げ、倒れ防止リブを組み合わせる作業、あるいは、各リブや倒れ防止リブに接着材を塗布して背部カバーを張り付ける作業などの極めて多くの手間を要するものであった。従って、この丸背ブック型ケースは丸背の成形工程が複雑になり、丸背ブック型ケースの製造に多くの時間やコストが掛かる不都合があった。
【０００７】
一方、特許文献２に記載の背面湾曲型ブック式ケースは、外函用ブランクと中函用ブランクとを組み合わせることで、背面が湾曲したブック式ケースを形成するので、特許文献１に記載された丸背ブック型ケースのように、ケースの背に切り込みを入れてリブを形成する作業や、これらのリブを組み合わせて背部カバーを張り付ける作業などは必要ない。しかしながら、このブック式ケースでは、外函用ブランクを形成する１枚の紙を湾曲して丸背を形成するので丸背の内部は中空になっている。このため、丸背は極めて脆弱な構成にならざるを得ず、紙容器として使用すると中空の丸背が簡単に潰れてしまうおそれがあった。
【０００８】
一般に、丸背ブック型ケースは、紙箱のデザインとして本を模した形状の紙箱を提供することで、より高級感を演出するものである。したがって、肝心な丸背が少しでも潰れてしまうと全く逆効果になり、不良品として商品化できなくなる虞がある。
【０００９】
そこで本発明は上述の課題を解消し、紙材にて形成する丸背ブック型ケースの丸背の強度を高めることができ、しかも、丸背の補強工程を極めて簡略化することができる丸背ブック型ケースの提供を目的とするものである。
【課題を解決するための手段】
【００１０】
上述の目的を達成すべく本発明における第１の手段は、背板１１を中央に介して底板１２と蓋板１３が連接されると共に、該底板１２と蓋板１３の外周囲縁にそれぞれ側板１４が設けられた台紙１０にて構成され、背板１１が湾曲して本の背を模した丸背状に形成された丸背ブック型ケースにおいて、
各側板１４の背板１１がわ端部に半円部１４Ａをそれぞれ形成し、底板１２に重ねる底板重合片２２と、背板１１に重ねる背板重合片２１と、蓋板１３に重ねる蓋板重合片２３とを連設した補強板２０を設け、該補強板２０を台紙１０の内側に重ねると共に、相対向する側板１４の各内側に補強板２０の端部がそれぞれ当接するように配置し、
台紙１０の背板１１を湾曲して各側板１４を重合したときに、底板１２がわの半円部１４Ａが背板１１の長手端部内側に重なって背板１１の湾曲した丸背形状を保持すると共に、各側板１４の内側で撓んで緊張力を持った補強板２０が台紙１０の背板１１の丸背形状を内側から強化するように構成したことにある。
【００１１】
第２の手段において、前記台紙１０は、前記側板１４の内側に重合する重合片１５が前記側板１４から屈曲延長され、前記補強板２０は、前記台紙１０の内側面と重合片１５の内側端部との間に設置されたものである。
【００１３】
第３の手段は、前記補強板２０において、前記背板重合片２１の片面に該背板重合片２１の長手方向に沿った平行な複数本の切目２１Ａが形成され、前記台紙１０の背板１１を湾曲したときに、該切目２１Ａが前記補強板２０の外側になるように配置されたものである。
【００１４】
第４の手段は、前記補強板２０において、前記背板重合片２１の片面に該背板重合片２１の長手方向に沿った平行な複数本の凹溝２１Ｂが形成され、前記台紙１０の背板１１が屈曲されたときに、該凹溝２１Ｂが前記補強板２０の内側になるように配置されたものである。
【発明の効果】
【００１５】
本発明の請求項１によると、台紙１０の背板１１を湾曲して各側板１４を重合したときに、該側板１４の内側で補強板２０が湾曲し、該補強板２０の背板重合片２１の撓み形状で台紙１０の背板１１の丸背形状を保持するように構成したことにより、補強板２０が湾曲した背板１１の強度を高めることができる。すなわち、補強板２０は、台紙１０の対向する側板１４の内側に当接した状態で背板重合片２１が湾曲するので、背板重合片２１の撓み形状は補強板２０全体の緊張力にて形成される。そのため、背板重合片２１の撓み形状は強力な緊張力を保持し、この緊張力が背板１１に重なって背板１１を強化するものである。
更に、各側板１４の背板１１側端部に半円部１４Ａをそれぞれ形成し、背板１１を湾曲したときに、底板１２がわの半円部１４Ａが背板１１の長手端部内側に重なるように構成したことで、背板１１は底板１２がわの半円部１４Ａに沿った形の良い湾曲形状を成し、更に蓋板１３側の半円部１４Ａが背板１１の長手端部の外側を被覆することでケースの見栄えを良好にするものである。
【００１６】
この結果、従来の外函用ブランクと中函用ブランクとを組み合わせた従来のブック式ケースのように、中空の丸背が簡単に潰れてしまうといったおそれは解消し、本を模した形状にすることで、高級感を演出した紙箱を提供することができる。
【００１７】
しかも、補強板２０を台紙１０の内側に重ねるだけで背板１１を強化できるので、丸背の補強工程を極めて簡略化することができる。したがって、丸背内に芯材を設けた従来の丸背ブック型ケースのように、丸背の成形工程が複雑で製造に多くの時間やコストが掛かるなどといった不都合も解消された。
【００１８】
請求項２のように、側板１４の内側に重合する重合片１５が側板１４から屈曲延長され、台紙１０の内側面と重合片１５の内側端部との間に補強板２０が設置されたことで、台紙１０に重合した補強板２０を定位置に保持することができる。しかも、この補強板２０は、台紙１０の底板１２、背板１１、蓋板１３に重合するように形成しているので、紙箱使用時に補強板２０が妨げになることはない。
【００２０】
請求項３又は請求項４のような補強板２０によると、切目２１Ａや凹溝２１Ｂを選択することで、補強板２０の材質や厚みを変更することが可能になる。すなわち、切目２１Ａは厚めの背板重合片２１に適し、凹溝２１Ｂは薄めの背板重合片２１に適するものである。したがって、丸背ブック型ケースの使用目的に応じて補強板２０を選択することができる。
【図面の簡単な説明】
【００２１】
【図１】本発明の一実施例を示す斜視図である。
【図２】本発明を開いた状態を示す斜視図である。
【図３】本発明の台紙の一実施例を示す展開図である。
【図４】本発明の補強板の一実施例を示す背面図である。
【図５】本発明の背板重合片の切目を示す横断面図である。
【図６】本発明を閉じた状態を示す断面図である。
【図７】本発明の他の実施例を開いた状態を示す斜視図である。
【図８】本発明の台紙の他の実施例を示す展開図である。
【図９】本発明の補強板の他の実施例を示す平面図である。
【図１０】本発明の背板重合片の凹溝を示す横断面図である。
【図１１】本発明の他の実施例を開いた状態を示す斜視図である。
【図１２】本発明の台紙の他の実施例を示す展開図である。
【発明を実施するための形態】
【００２２】
本発明によると、紙材にて形成する丸背ブック型ケースの丸背の強度を高めることができ、しかも、丸背の補強工程を極めて簡略化することができるなどといった当初の目的を達成した。
【００２３】
以下、本発明の実施例を説明する。本発明は、背板１１が湾曲して本の背を模した丸背状に形成された丸背ブック型ケースであり、台紙１０と補強板２０とで構成される。
【００２４】
台紙１０は、背板１１を中央に介して底板１２と蓋板１３が連接され、この底板１２と蓋板１３の外周囲縁にそれぞれ側板１４が設けられたものである（図３参照）。この台紙１０には、側板１４から側板１４の内側に重合する重合片１５が屈曲延長されている。この重合片１５は、側板１４の強度を高めると共に、後述する補強板２０を保持するものでもある。
【００２５】
図示の台紙１０に半円部１４Ａを形成している（図３参照）。この半円部１４Ａは、各側板１４の背板１１側端部にそれぞれ形成したものである（図２参照）。そして、背板１１を湾曲したときに、底板１２側の半円部１４Ａの端部が背板１１の長手端部内側に重なるように構成している。また、蓋板１３側の半円部１４Ａは、背板１１の長手端部外側を被覆するものである（図１参照）。
【００２６】
図３に示す台紙１０には、重合片１５の端部を切り抜いて係止部１６を形成している。この係止部１６は後述する補強板２０の係止突起２４を係止するものである。図示の台紙１０は、底板１２よりも蓋板１３の面積を広く形成し、各側板１４からそれぞれ重合片１５が形成されている。従って底板１２と蓋板１３を重ねたときに、蓋板１３の側板１４の内側に底板１２の側板１４が重なるものである（図６参照）。
【００２７】
更に、各側板１４の背板１１側端部に半円部１４Ａを形成すると共に、重合片１５の端部にも半円部１４Ａに重なる半円部１５Ａを形成している（図３参照）。この半円部１５Ａは、半円部１４Ａに重ねることで半円部１４Ａを強化することができる。また、この半円部１５Ａを底板１２の内側に向けて屈曲することで、商品を押える部材として使用することも可能である。この場合、半円部１５Ａを矩形状に変更することも可能である。尚、隣接する側板１４相互は、屈曲部１８Ａを備えた屈曲片１８を介して直角状に連結される。符号１９は重合片１５を固定する係止片である。
【００２８】
補強板２０は、台紙１０の内側に重ねて使用するもので、底板１２に重ねる底板重合片２２と、背板１１に重ねる背板重合片２１と、蓋板１３に重ねる蓋板重合片２３とを連設している（図４参照）。そして、補強板２０の長手端部がそれぞれ側板１４の各内側に当接するように配置する（図２参照）。すなわち、台紙１０の背板１１を介して相対向する側板１４に、補強板２０の長手両端部が当接するように配置したものである。
【００２９】
台紙１０の内側に補強板２０を重ねて台紙１０の背板１１を湾曲すると、補強板２０の背板重合片２１の撓み形状で台紙１０の背板１１の丸背形状を保持するようになる（図５、図１０参照）。すなわち、台紙１０の背板１１を湾曲して各側板１４を重合したときに、該側板１４の内側で補強板２０が湾曲する（図６参照）。
【００３０】
このとき、補強板２０の長手両端部は側板１４の内側に当接し、背板重合片２１は背板１１の内側に重なった状態で湾曲されるので、補強板２０の背板重合片２１に背板１１方向へ向いた緊張力が発生する（図６参照）。そうすると、緊張した背板重合片２１の撓み形状が台紙１０の背板１１に重なり、台紙１０の背板１１の丸背形状を強力に保持するようになる（図５、図１０参照）。
【００３１】
この補強板２０の背板重合片２１の緊張を保ちながら本の背のように背板重合片２１を湾曲させるため、背板重合片２１に切目２１Ａや、凹溝２１Ｂを設けている。切目２１Ａは、背板重合片２１の裏側、すなわち、背板１１に接する面に、背板重合片２１の長手方向に沿って平行に複数本形成する（図２参照）。そして、台紙１０の背板１１を湾曲したときに、この切目２１Ａが補強板２０の外側になるように設置する（図５参照）。
【００３２】
一方、凹溝２１Ｂも、切目２１Ａと同様に背板重合片２１の片面に該背板重合片２１の長手方向に沿って平行に複数本形成するものであるが、台紙１０の背板１１を湾曲したときに、凹溝２１Ｂが補強板２０の内側になるように配置するものである（図１０参照）。このように、背板重合片２１に切目２１Ａや凹溝２１Ｂを形成することで、背板重合片２１の湾曲形状を本の丸背に近づけることができる。
【００３３】
この補強板２０は、側板１４に両端部が接するように台紙１０に重ねるものであるが、この補強板２０を台紙１０の内側に保持するため、台紙１０の側板１４から内側に屈曲延長された重合片１５の先端部で固定する（図２参照）。この重合片１５は、側板１４の内側に重合する部位で、この重合片１５の内側端部と台紙１０の内側面との間に補強板２０を設置して固定するものである。
【００３４】
図４に示す補強板２０には、長手端部に係止突起２４を突設している。一方、側板１４の内側に重合した重合片１５に係止部１６を切欠いて形成し、この係止部１６に係止突起２４を差し込んで補強板２０を固定している（図２参照）。すなわち、この係止突起２４が重合片１５の内側端部を切り欠いた係止部１６と台紙１０との間に固定されるものである。
【００３５】
また、図７、図１１に示す補強板２０は、台紙１０の側板１４から更に屈曲延長された重合片１７と台紙１０との間に固定されるもので、係止突起２４は形成していない（図９参照）。図示の重合片１７は、重合片１５の先端部から、更に屈曲延長されて底板１２や蓋板１３の内側に重合する部位である（図８、図１２参照）。この補強板２０は、この重合片１７と台紙１０の底板１２や蓋板１３との間に重合されるものである（図７、図１１参照）。
【００３６】
図７に示す補強板２０は、背板１１を介して対向する重合片１５から屈曲延長された重合片１７にて固定されている。この重合片１７は、図８に示す台紙１０にて形成されるもので、同図において図３の展開図と異なるのは、背板１１を介して対向する重合片１５から屈曲延長された一対の重合片１７と、図３に示す係止部１６を形成していない構成にある。
【００３７】
図１１に示す補強板２０は、各重合片１５から屈曲延長された重合片１７にて固定されたものである。この重合片１７は、図１２に示す台紙１０にて形成されている。すなわち、同図において、図８の展開図と異なるのは、すべての重合片１５から屈曲延長された６か所の重合片１７である。
【００３８】
尚、本発明の構成は図示例に限られるものではなく、本発明の要旨を変更しない範囲での設計変更は自由に行えるものである。
【符号の説明】
【００３９】
１０  台紙
１１  背板
１２  底板
１３  蓋板
１４  側板
１４Ａ  半円部
１５  重合片
１５Ａ  半円部
１６  係止部
１７  重合片
１８  屈曲片
１８Ａ  屈曲部
１９  係止片
２０  補強板
２１  背板重合片
２１Ａ  切目
２１Ｂ  凹溝
２２  底板重合片
２３  蓋板重合片
２４  係止突起
【図１】
0005970504.tif 000002
【図２】
0005970504.tif 000003
【図３】
0005970504.tif 000004
【図４】
0005970504.tif 000005
【図５】
0005970504.tif 000006
【図６】
0005970504.tif 000007
【図７】
0005970504.tif 000008
【図８】
0005970504.tif 000009
【図９】
0005970504.tif 000010
【図１０】
0005970504.tif 000011
【図１１】
0005970504.tif 000012
【図１２】
0005970504.tif 000013